(57)【特許請求の範囲】
【請求項１】
少なくとも２つのステーションを有し、前記ステーションの間で車両（１）がロープに引かれて走行可能であって、ステーション内で乗客が車両（１）内へ乗り込むための乗車領域（６）と、車両（１）からの降車領域（５）が設けられている、ロープウェイ設備において、
ステーション内へ進入する車両（１）によって駆動可能なセンサ（７）と、
ステーション内に配置されている、センサ（７）によって駆動可能な制御を備えた、少なくとも１つの仕切り（９、１１）を有する少なくとも１つの限定された領域（８）とによって特徴付けられ、
前記車両（１）への接近方向に見て、限定された領域（８）へ進入するための仕切り（９）が配置され、
前記車両（１）への接近方向に見て、限定された領域（８）を出るための仕切り（１１）が配置され、
限定された領域（８）に進入するための仕切り（９）は、限定された領域（８）を出るための仕切り（１１）が閉鎖されている場合にのみ、開放され、
限定された領域（８）を出るための仕切り（１１）は、限定された領域（８）に進入するための仕切り（９）が閉鎖されている場合にのみ、開放され、
前記制御がタイムスイッチ部材を有し、
前記車両（１）による前記センサ（７）の駆動後、予め定められた期間の経過後に、前記限定された領域（８）を出るための仕切り（１１）が開放され、第１の色が表示されることによって、予め定められた数の個々の乗客の通過を許し、
前記仕切り（１１）が開放された後、さらなる期間が経過した後、前記仕切り（１１）が閉鎖され、第２の色が表示されることによって、前記限定された領域（８）から乗客が出ることを阻止する、ことを特徴とするロープウェイ設備。
【請求項２】
車両（１）がそれぞれ情報発信器を有し、前記情報発信器がセンサ（７）を駆動し、あるいは
車両（１）が、ステーションの領域内に配置されている情報発信器を作動させ、前記情報発信器がセンサ（７）を駆動する、
ことを特徴とする請求項１に記載のロープウェイ設備。
【請求項３】
センサ（７）が車両（１）の走行方向（２）に見て、乗車領域（６）の前に配置されており、ステーション内への車両（１）の進入領域に対応づけられている、ことを特徴とする請求項１又は２に記載のロープウェイ設備。
【請求項４】
前記期間が、ステーション内及び／又はステーションを通る車両（１）の実際の速度に従って可変である、ことを特徴とする請求項１に記載のロープウェイ設備。
【請求項５】
限定された領域（８）が乗車領域（６）に対応づけられており、乗車領域（６）の前に位置するように配置されている、ことを特徴とする請求項１から４のいずれか１項に記載のロープウェイ設備。
【請求項６】
限定された領域（８）へ進入するための仕切り（９）が、人個別化設備である、ことを特徴とする請求項１に記載のロープウェイ設備。
【請求項７】
センサ（７）が、限定された領域（８）を出るための仕切り（１１）の制御を駆動し、かつ
限定された領域（８）に進入するための仕切り（９）が、限定された領域（８）を出るための仕切り（１１）の制御によって制御可能である、
ことを特徴とする請求項１から６のいずれか１項に記載のロープウェイ設備。
【請求項８】
限定された領域（８）に進入するための仕切り（９）が、乗車領域（６）内へ進入する車両（１）によって制御可能な他のセンサによって、あるいは他のタイムスイッチ部材によって制御可能である、ことを特徴とする請求項１から６のいずれか１項に記載のロープウェイ設備。
【請求項９】
限定された領域（８）に進入するための仕切り（９）の制御が、計数装置とメモリを有し、前記メモリ内に車両（１）のための乗客の予め定められた数が記憶されている、ことを特徴とする請求項１から８のいずれか１項に記載のロープウェイ設備。
【請求項１０】
駆動後に、限定された領域（８）へ進入するための仕切り（９）によって、個々の乗客の予め定められた数の通過が許される、ことを特徴とする請求項９に記載のロープウェイ設備。
【請求項１１】
限定された領域（８）へ進入するための仕切り（９）が、予め定められた数の通過に達した後に、次の駆動まで閉鎖されている、ことを特徴とする請求項１０に記載のロープウェイ設備。
【請求項１２】
予め定められた数と、限定された領域内に実際にいる乗客の数が表示される、ディスプレイを特徴とする請求項１から１１のいずれか１項に記載のロープウェイ設備。
【発明の詳細な説明】
【技術分野】
【０００１】
本発明は、少なくとも２つのステーションを有し、それらステーションの間で車両、特にゴンドラが、ロープに引かれて走行可能である、ロープウェイ設備に関するものであって、その場合にステーション内には乗客が車両へ乗り込むための乗車領域と車両からの降車領域とが設けられている。
【背景技術】
【０００２】
ロープウェイ設備、たとえばゴンドラ式ロープウェイ設備又はチェアリフト設備はステーション内に移送すべき乗客用の降車領域と乗車領域とを有している。ゴンドラ又はチェアのような車両がステーション内へ進入する場合に、まず降車領域を通過し、その後乗車領域を通過する。降車領域と乗車領域との間には、場合によっては、車両の進行方向を変化させるために、方向変換領域を設けることができる。
【０００３】
連続的に周回する車両を有するロープウェイ設備においては、乗客は、車両が移動し続けている間に、ステーション内にそのために設けられている領域内で車両から降車し、もしくは車両内へ乗車しなければならない。したがって車両が降車領域もしくは乗車領域を通って移動する時間内に乗客の降車と乗車が可能であることが、保証されなければならない。
【０００４】
これまで知られている、この種の構造のロープウェイ設備においては、未定かつ実質的に管理されない数の乗客が乗車領域内に存在することが、問題となることがあり得る。乗客のこの数が、車両にとって最大可能な乗客の数を上回った場合には、どの乗客が車両内へ乗り込むことができ、どの乗客は次の車両を待たなければならないか、という不確実性がもたらされる場合がある。その結果、まず、乗客が車両に殺到する恐れがあり、それが乗客にとっての潜在的な危険となる。他方でそれは、乗客が大勢来た場合でも、車両が定員に満たないことにもなり得る。
【発明の概要】
【発明が解決しようとする課題】
【０００５】
本発明の課題は、車両内への乗客の乗車をより良好に調整する、ロープウェイ設備を提供することである。
【課題を解決するための手段】
【０００６】
この課題は、本発明によれば、請求項１の特徴を有する、ロープウェイ設備によって解決される。
【０００７】
本発明の優先される、好ましい実施形態が、下位請求項の対象である。
【０００８】
本発明によれば、ステーション内へ進入する車両によって駆動可能なセンサと、ステーション内に配置されている、制御を備えた少なくとも１つの仕切りを有する少なくとも１つの限定された領域とが設けられており、その制御はセンサによって駆動可能である。したがって乗車領域内の過剰な数の乗客を回避し、乗車領域内の安全性が向上し、かつ車両が定員に満たないことを回避することができる。特に、どの乗客が進入してくる車両へ乗車することができ、どの乗客はできないか、が明らかにされる。
【０００９】
本発明の枠内において、ステーション内へ進入するというのは、車両がステーション前の領域内でステーションへ近づいていること、そしてまた車両がステーション前の領域からステーション内へ進入すること、及び車両がステーション内部で乗客のための乗車領域へ近づいていることも、意味している。
【００１０】
支持ロープ及び／又は移送ロープによって引っ張ることのできる車両は、本発明の枠内において好ましくはゴンドラ又はチェアリフトのチェア、特にゴンドラである。本発明は特に、連結可能なウェイに関するものであって、そのウェイにおいて車両はステーション内で移送ロープから切り離して、よりゆっくりとした速度でステーションを通って移送される。
【００１１】
本発明の枠内において、車両はそれぞれ情報発信器を有することができ、その情報発信器がセンサを駆動し、あるいは車両は、特にステーションの領域内に配置されている情報発信器を作動させることができ、その情報発信器がセンサを駆動する。
【００１２】
さらに乗車領域内でできる限り迅速かつ安全なシーケンスを保証するために、好ましい実施形態においては、センサは車両の走行方向に見て、車両内への乗車領域の前に配置されており、たとえばステーション内へ車両が進入する進入領域に対応づけられている。
【００１３】
好ましくは制御がタイムスイッチ部材を有しているので、車両によるセンサの駆動後予め定められた期間の経過後に、仕切りが予め定められた数の個々の乗客の通過を許す。不具合があった場合に、限定された領域の入場を制御することができるようにするために、好ましくは、期間はステーション内への、かつ／又はステーションを通る車両の実際の速度に従って可変である。
【００１４】
乗車領域内でできるだけ迅速かつ安全なシーケンスを保証するために、好ましい実施形態においては、限定された領域が乗車領域に対応づけられており、特に乗車領域の前に位置するように配置されている。
【００１５】
本発明の好ましい実施形態において、車両への接近方向に見て、限定された領域へ進入するための仕切りが配置されており、その場合に限定された領域へ進入するための仕切りは、好ましくは人個別化設備、特に回転クロスである。人個別化設備は、一人の乗客のみの通過を許す装置である。本発明の枠内において、人個別化装置は、機械的に作用する装置だけでなく、後述するような、光学的な表示装置とすることもできる。
【００１６】
本発明の他の好ましい実施形態において、車両への接近方向に見て、限定された領域を出るための仕切りが配置されている。
【００１７】
本発明の枠内において、限定された領域を出るための仕切りは、機械的な遮断機及び／又は表示器具とすることができ、その表示器具は、いつ乗客が限定された領域を出てもよいかについての情報を与える。遮断機は、規定に従って、特に車両が乗車領域へ達しており、あるいは乗車領域へ達する直前にある場合に、乗客が限定された領域を出てもよいことを示す。
【００１８】
（光学的な）遮断機は、たとえばディスプレイ、特にスクリーンであって、その上に安全上重要な情報が表示される。（光学的な）遮断機は、プロジェクタであってもよく、そのプロジェクタはたとえば「ＳＴＯＰ」又は「ＧＯ」あるいは同種のものを、限定された領域内にいる乗客から見える面上に投影する。安全装置は、たとえば発光バーの形式の、信号機システムを備えた通路であってもよく、その場合に「赤」色は、限定された領域をまだ出てはならないことを意味し、「緑」色は、限定された領域を出てもよいことを意味する。場合によっては、「黄」色を使用することもでき、それは、乗客がまもなく限定された領域を出られることを意味することができる。
【００１９】
限定された領域の側方に、阻止柵を設けることができるので、不適切に進入することができない、はっきりと定められた領域が形成される。この限定された領域の大きさは、好ましくは１台の車両のための乗客の最大数に合わせて設計されている。
【００２０】
本発明の好ましい実施形態において、センサは、限定された領域を出るための仕切りの制御を駆動し、限定された領域に進入するための仕切りは、限定された領域を出るための仕切りの制御によって駆動可能である。
【００２１】
その代わりに、限定された領域に進入するための仕切りは、乗車領域内へ進入する車両によって制御可能な他のセンサによって、あるいは他のタイムスイッチ部材によって、駆動可能である。
【００２２】
限定された領域がからである場合にのみ、乗客がそこへ進入することができるようにするために、好ましくは、限定された領域へ進入するための仕切りは、限定された領域を出るための仕切りが閉鎖されている場合にのみ、開放することができる。
【００２３】
どの乗客も不適切に乗車領域内へ来ることがないようにするために、好ましくは、限定された領域を出るための仕切りは、限定された領域に進入するための仕切りが閉鎖されている場合にのみ、開放することができる。
【００２４】
「開放された」という概念は、本発明の枠内においては、機械的に開放されていることも、適切な、たとえば光学的な信号によって通過が許されていることも、意味している。「閉鎖されている」という概念は、本発明の枠内において、機械的に閉鎖されていることも、適切な、たとえば光学的な信号によって通過が許されていないことも、意味している。
【００２５】
本発明の枠内において、限定された領域へ進入するための仕切りは、それが駆動される前は閉鎖されていると、効果的である。
【００２６】
本発明の枠内において、限定された領域へ進入するための仕切りが、予め定められた数の通過を達成した後は、センサによる次の駆動まで閉鎖されていると、効果的である。
【００２７】
本発明の実施形態において、限定された領域へ進入するための仕切りの制御は、計数装置とメモリを有し、そのメモリ内に車両のための乗客の予め定められた数が記憶されている。したがって、各車両について適合する数の乗客が準備されており、もしくは準備することができ、したがって乗車領域内の安全性が高められる。
【００２８】
特に本発明の枠内において、車両が乗車領域へ達する前に、限定された領域に進入するための仕切りを通る、予め定められた数の個々の乗客の通過が許されるようにすることができる。したがって車両が乗車領域へ達する場合に、所望の数の乗客が限定された領域内に集められていることが、保証されている。
【００２９】
他の好ましい実施形態において、駆動後に、限定された領域に進入するための仕切りによって、最大で車両について許される乗客の数に相当する、個々の乗客の予め定められた数の通過が許されている。
【００３０】
本発明の枠内において、たとえば第１のステーションと第２のステーション、特に谷ステーションと山ステーションを設けることができ、さらに少なくとも１つの中間ステーションを設けることができる。ロープウェイ設備もしくはステーションは、自由なゲレンデ、たとえばスキーエリア又はレジャーパークにおいてだけでなく、市街エリアにも配置することができる。本発明の枠内において、ロープに引かれる車両は、空中ロープウェイにおいても、レールロープウェイにおいても使用することができる。
【００３１】
したがって、たとえば第１のステーションにおいてはある数の乗客の乗車のみが可能であって、その場合にこの数が車両ごとの乗客の最大可能な数に相当しないことも、可能である。したがって中間ステーションにおいてこの車両内へ他の乗客が乗車できることが、保証されている。たとえば８人用のゴンドラが設けられている場合に、本発明によれば、第１のステーションにおいては４人の乗客のみがゴンドラへ乗車することができるので、中間ステーションにおいてさらに４人の乗客が、あるいは、たとえば各第２の車両が満席である場合にのみ、このゴンドラへ乗車することができることが、保証される。
【００３２】
ディスプレイを設けることができ、そのディスプレイに予め定められた数と、限定された領域内に実際にいる乗客の数が表示される。
【００３３】
本発明の枠内において、限定された領域へ進入するための仕切りとして、１つ又は複数の、好ましくは２つの、互いに並べて配置された人個別化装置を設けることができ、それらがたとえば交互に駆動される。本発明の枠内において、２つ又はそれより多くの、互いに並べて配置された、限定された領域を設けることもでき、それらがたとえば交互に駆動される。
【００３４】
本発明によれば、請求項１に記載のロープウェイ設備を駆動する方法を設けることができる。ロープウェイ設備について説明された特徴は、方法特徴として変換することもできる。
【００３５】
本発明の他の詳細、特徴及び利点が、好ましい実施形態を示す、添付図面を参照して行う以下の説明から明らかにされる。
【図面の簡単な説明】
【００３６】
【図１】本発明に係るロープウェイ設備をステーションの領域内で示している。
【図２】乗客用に限定された領域を示している。
【図３】乗客用に限定された領域を示している。
【図４】乗客用に限定された領域を示している。
【図５】乗客用に限定された領域を示している。
【発明を実施するための形態】
【００３７】
図１には、ロープウェイ設備がステーションの領域内で示されており、その場合に車両１はゴンドラである。ゴンドラ１とゴンドラのガイドもしくは駆動は、従来技術から知られたように形成することができる。ゴンドラ１は、走行方向２にステーション内へ進入し、そこで方向変換領域３内で方向変換されて、走行方向４においてステーションから出て行く。方向変換領域３の前に、乗客用の降車領域５が設けられている。方向変換領域３には、乗客用の乗車領域６が設けられている。
【００３８】
車両１の走行方向２に見て乗車領域６の前、図示の実施例においては車両１がステーション内へ進入する進入領域内に、センサ７が配置されており、そのセンサはステーション内へ進入する車両１によって駆動される。乗車領域６に連続して、乗客用の２つの限定された領域８が配置されている。車両への接近方向に見て、限定された領域８はそれぞれ限定された領域８に踏み入るための、２つの並べて配置された回転クロス１０の形式の仕切り９を有している。限定された領域８は、それぞれ限定された領域８を出るための第２の仕切り１１を有しており、それらは図２から５においてよく理解できる。限定された領域８を出るための仕切り１１は、信号機システムを備えた、発光バー１３を有する通路であって、その場合に「赤」色は、限定された領域をまだ出てはならないことを意味し、「緑」色は、限定された領域を出てもよいことを意味している。場合によっては「黄」色を使用することもでき、それは、乗客がまもなく限定された領域を出てもよくなることを、意味することができる。側方には、遮断手段１２が設けられている。
【００３９】
ステーション内へ進入する車両１がセンサ７を駆動した場合に、センサ７が限定された領域８を出るための仕切り１１の制御を駆動し、それによって所定の時間が経過した後に、限定された領域８を出るために仕切り１１が開放されて、「緑」色が表示される。限定された領域８内にいる人は、乗車領域６内へ進入することができる。限定された領域８を出るための仕切り１１が開放されている間は、不用意に他の乗客が乗車領域６内へ達することを阻止するために、限定された領域８内へ進入するための仕切り９は閉鎖されている。
【００４０】
さらなる期間が経過した後、もしくは乗客が限定された領域８を出てしまった場合に、限定された領域８を出るための仕切り１１が再び閉鎖され、その場合に「赤」色が表示されて、その制御が限定された領域８に進入するための仕切り９を開放する。限定された領域８に進入するための仕切り９が開放されて、限定された領域８を出るための仕切り１１は閉鎖されたままとなる（「赤」）。
【００４１】
回転クロスの制御は、計数装置とメモリを有しており、そのメモリには、車両１のための乗客の予め定められた数が記憶されている。限定された領域８を出るための仕切り１１の制御による回転クロスの駆動に従って、予め定められた数の個々の乗客が限定された領域８内へ進入することができる。予め定められた数の乗客が限定された領域８内へ進入した場合に、回転クロスは次にセンサ７によって駆動されるまで、再びブロックされる。限定された領域８内にいる人たちは、新たにステーション内へ進入する車両１がセンサ７を駆動するまでの間、限定された領域８内にとどまり、そのセンサが限定された領域８を出るための仕切り１１の制御を駆動し、それによって所定の時間が経過した後に、限定された領域８を出るための仕切り１１が再び開放される（「緑」）。
【００４２】
要約すると、本発明の実施例は以下のように表すことができる：
【００４３】
ロープウェイ設備は少なくとも２つのステーションを有し、それらのステーションの間で車両１、特にゴンドラがロープに引かれて走行可能であり、その場合にステーション内に乗客が車両１内へ乗り込むための乗車領域６と、車両１からの降車領域５が設けられている。センサ７が、ステーション内へ進入する車両１によって駆動可能である。ステーション内には、センサ７によって駆動可能な制御を有する、少なくとも１つの仕切り９、１１を有する少なくとも１つの限定された領域８が配置されている。
0006568586.tif 000002
【図２】
0006568586.tif 000003
【図３】
0006568586.tif 000004
【図４】
0006568586.tif 000005
【図５】
0006568586.tif 000006